(57)【要約】【課題】  複写装置の画像再生特性に影響されにくく、コピーされたことを容易に判別可能なコピー防止パターンを含み、特別な用紙、インク、装置などを使用することなく低コストにて作成される印刷物および当該印刷物を印刷する画像形成装置を提供する。【解決手段】  背景画像１１０を６００ｄｐｉの印刷解像度での１ドット幅の黒細線１１４で、１／１２０インチの間隔の水平線にて描画し、前景画像１２０を背景画像１１０に描画された黒細線１１４と所定の傾斜角度傾斜した１ドット幅の黒細線１２４で、背景画像１１０の間隔に該傾斜角度に対応する補正係数を掛けて算出した間隔で描画した画像を印刷する。【選択図】  図２
2008109586.tif 000002
【特許請求の範囲】
【請求項１】
背景部分が所定の間隔で描かれた平行細線の第１の集合からなり、前景部分が前記平行細線と所定角度傾いた平行細線の第２の集合からなる画像を記憶する記憶手段と、
前記記憶手段に記憶された画像を印刷画像に付加する付加手段と、
前記付加手段により前記記憶手段に記憶された画像が付加された印刷画像を印刷する印刷手段と
を具備する画像形成装置。
【請求項２】
前記第１の集合および前記第２の集合の平行細線は、
１ドット幅の黒の細線からなり、
前記第１の集合の平行細線の間隔は、
前記印刷手段の解像度をＲ（ドット／インチ）とするとき、ｎ／Ｒ（インチ：ｎは整数）であり、
前記第２の集合の平行細線の間隔は、
ｎ／Ｒ（インチ）に前記所定の角度に対応する補正係数を掛けた値の間隔である請求項１記載の画像形成装置。
【請求項３】
前記記憶手段に記憶された画像は、
前記前景部分が文字画像からなり、
前記背景部分が前記文字画像を囲む画像からなる
請求項１または２記載の画像形成装置。
【請求項４】
所定の間隔で描かれた平行細線の第１の集合からなる背景部分に対応する第１の画像データを作成する第１の画像作成手段と、
前記第１の画像作成手段で作成された平行細線と所定角度傾いた平行細線の第２の集合からなる前景部分に対応する第２の画像データを作成する第２の画像作成手段と、
前記第２の画像データ作成手段で作成した第１の画像データと前記第２の画像データ作成手段で作成した第２の画像データとを合成する合成手段と、
前記合成手段で合成した画像データに基づき印刷を行う印刷手段と
を具備することを特徴とする画像形成装置。
【請求項５】
前記第１の集合および前記第２の集合の平行細線は、
１ドット幅の黒の細線からなり、
前記第１の集合の平行細線の間隔は、
前記印刷手段の解像度をＲ（ドット／インチ）とするとき、ｎ／Ｒ（インチ）であり、
前記第２の集合の平行細線の間隔は、
ｎ／Ｒ（インチ）に前記所定の角度に対応する補正係数を掛けた値の間隔である請求項４記載の画像形成装置。
【請求項６】
前記第１の画像作成手段で作成される前記前景部分は文字画像からなり、
前記第２の画像作成手段で作成される前記背景部分は前記文字画像を囲む画像からなる
請求項４または５記載の画像形成装置。
【請求項７】
背景部分が所定の間隔で描かれた平行細線の第１の集合からなり、前景部分が前記平行細線と所定角度傾いた平行細線の第２の集合からなる画像が印刷された印刷物。
【請求項８】
前記前景部分が文字画像からなり、
前記背景部分が前記文字画像を囲む画像からなる請求項７記載の印刷物。
【発明の詳細な説明】
【技術分野】
【０００１】
本発明は、画像形成装置および印刷物に関する。
【背景技術】
【０００２】
微小ドットで構成された背景画像に対し、大きなドット、線、文字などの前景画像を構成し、背景画像と前景画像の目視濃度を略一定にあわせることにより、オリジナルの印刷物にて、前景画像の文字を認識しずらいものとして作成し、コピーした時に文字が認識可能に再現される技術が一般的に使用されている。
【０００３】
また、偽造防止として従来使用されている技術には、紙に特殊加工を施すことにより実現する「透かし」や、特殊な材料を加工して紙に貼り付ける「ホログラム」、特殊なインクを用いて印刷を行う技術が開示されている。
【０００４】
従来におけるコピー防止および不正にコピーされた印刷物を識別するための技術として、特許文献１に記載された「カラーコピー防止印刷物」がある。
【０００５】
この特許文献１の発明は、高度な技術と高価な設備等を必要とせず、有価証券類等の使用者が本物と偽物との区別を一見にして認識することを容易にし、カラーコピー機による偽造を確実に防止するカラーコピー防止印刷物を提供することを目的とし、その解決策として、一定の縦送りピッチで並んでいる波状線の一部の線幅が大きくなっていることでパターンが形成されているカラーコピー防止画像を印刷する技術である。
【０００６】
また、コピー防止に関する別の技術として、特許文献２に記載された、「不可視情報を含む印刷物及び印刷物作成システム」が開示されている。
【０００７】
この特許文献２の発明は、印刷物に印刷されたベースパターンに付加情報を不可視な状態で埋め込み、かつ容易に可視化できるようにすることを目的とし、同一間隔の平行線からなる縞パターンにより形成されたベースパターン１に、不可視情報としてベースパターン１と同じ縞パターンからなる付加情報パターン２を嵌め込み、ベースパターン１と付加情報パターンの境界部ａにおいてはベースパターン１の縞パターンを形成する線と付加情報パターン２の縞パターンを形成する線が、線幅方向にずれて段差を形成するように付加情報パターン２の縞パターンとベースパターン１の縞パターンの線の位置を設定し、さらに周期性および方向性などの規則性をもたない不規則に配置された複数のドットからなる欺瞞パターンを前記ベースパターン１及び付加情報パターン２に重畳して印刷する。
【０００８】
上記に示した、コピー防止パターンを含む画像を印刷する場合、複写機能を有する装置の画像再生特性にあわせ、構成するドットの濃度を適宜調整する作業が生じるといった問題がある。
【０００９】
また、コピー防止パターンの画像を印刷する印刷装置の経時的な処理性能の変化により、コピー防止パターンの印刷品質が変化し、オリジナルの文書にて本来、視認されてはならない前景画像が識別可能に浮き出た状態で印刷されてしまうといった問題がある。
【００１０】
また、特殊な印刷用紙を使用したり、特殊材料を印刷用紙に付加する技術を使用してコピー防止パターンを印刷するためには、製造コストが高くなるといった問題がある。
【特許文献１】特開２００１−１５０９００号公報。
【特許文献２】特開２００２−２３２６８８号公報。
【発明の開示】
【発明が解決しようとする課題】
【００１１】
本発明は、複写装置の画像再生特性に影響されにくく、コピーされたことを容易に判別可能なコピー防止パターンを、特別な用紙、インク、装置などを使用することなく低コストにて印刷可能とする画像形成装置および印刷物を提供することを目的とする。
【課題を解決するための手段】
【００１２】
上記目的を達成するために、請求項１の発明の画像形成装置は、背景部分が所定の間隔で描かれた平行細線の第１の集合からなり、前景部分が前記平行細線と所定角度傾いた平行細線の第２の集合からなる画像を記憶する記憶手段と、前記記憶手段に記憶された画像を印刷画像に付加する付加手段と、前記付加手段により前記記憶手段に記憶された画像が付加された印刷画像を印刷する印刷手段とを具備する。
【００１３】
また、請求項２の発明は、請求項１の発明の画像形成装置において、前記第１の集合および前記第２の集合の平行細線は、１ドット幅の黒の細線からなり、前記第１の集合の平行細線の間隔は、前記印刷手段の解像度をＲ（ドット／インチ）とするとき、ｎ／Ｒ（インチ：ｎは整数）であり、前記第２の集合の平行細線の間隔は、ｎ／Ｒ（インチ）に前記所定の角度に対応する補正係数を掛けた値の間隔である。
【００１４】
また、請求項３の発明は、請求項１または２の発明の画像形成装置において、前記記憶手段に記憶された画像は、前記前景部分が文字画像からなり、前記背景部分が前記文字画像を囲む画像からなる。
【００１５】
また、請求項４の発明の画像形成装置は、所定の間隔で描かれた平行細線の第１の集合からなる背景部分に対応する第１の画像データを作成する第１の画像作成手段と、前記第１の画像作成手段で作成された平行細線と所定角度傾いた平行細線の第２の集合からなる前景部分に対応する第２の画像データを作成する第２の画像作成手段と、前記第２の画像データ作成手段で作成した第１の画像データと前記第２の画像データ作成手段で作成した第２の画像データとを合成する合成手段と、前記合成手段で合成した画像データに基づき印刷を行う印刷手段とを具備する。
【００１６】
また、請求項５の発明は、請求項４の発明の画像形成装置において、前記第１の集合および前記第２の集合の平行細線は、１ドット幅の黒の細線からなり、前記第１の集合の平行細線の間隔は、前記印刷手段の解像度をＲ（ドット／インチ）とするとき、ｎ／Ｒ（インチ）であり、前記第２の集合の平行細線の間隔は、ｎ／Ｒ（インチ）に前記所定の角度に対応する補正係数を掛けた値の間隔である。
【００１７】
また、請求項６の発明は、請求項４または５の発明の画像形成装置において、前記第１の画像作成手段で作成される前記前景部分は文字画像からなり、前記第２の画像作成手段で作成される前記背景部分は前記文字画像を囲む画像からなる。
【００１８】
また、請求項７の発明の印刷物は、背景部分が所定の間隔で描かれた平行細線の第１の集合からなり、前景部分が前記平行細線と所定角度傾いた平行細線の第２の集合からなる画像が印刷される。
【００１９】
また、請求項８の発明は、請求項７の発明の印刷物において、前記前景部分が文字画像からなり、前記背景部分が前記文字画像を囲む画像からなる。
【発明の効果】
【００２０】
本発明の画像形成装置によれば、角度の異なる複数の角度付細線のパターンを組み合わせたものを印刷し、細線の傾斜角度に応じて細線の間隔を調整し、前景画像と背景画像の目視濃度を略同一にした印刷物を印刷することができ、本発明の印刷物を複写した際は、複写処理における画像再生特性によって前景画像と背景画像の目視濃度が異なる濃度で再生され複写されたことを容易に判別することができる。
【００２１】
また、本発明の画像形成装置によれば、特殊な装置、特殊なインク、トナー、用紙を使用することなく、コピー防止パターンが印刷された印刷物を低コストにて作成することができる。
【００２２】
さらに、本発明の画像形成装置によれば、複数種類の傾斜角度を持たせた前景画像を並べて配置するので、複写処理における画像再生特性に影響されにくいコピー防止パターンを含む印刷物を印刷することができる。
【発明を実施するための最良の形態】
【００２３】
以下、本発明に係わる画像形成装置および印刷物の実施例について添付図面を参照して詳細に説明する。
【００２４】
図１は、本発明の画像形成装置にて印刷される印刷物に印刷されるコピー防止パターン１００の例および、コピー防止パターン１００の前景画像と背景画像が隣接する領域の一部（１５０）を拡大した例を示した図である。
【００２５】
また、図２は、図１に示した前景画像と背景画像が隣接する一部の領域（１５０）を模式的に拡大した図である。
【００２６】
図２において、コピー防止パターン１００は、６００ｄｐｉの印刷解像度にて１ドット幅の黒細線（図２の１１４）による水平線を、１／１２０インチの間隔ｄ１（図２の１１１）をもって構成される背景画像（図２の１１０）と、前景画像（図２の１２０）においては、背景画像１１０に描画された水平線１１４に対して、例えば、３０度の傾斜角（図２の１３０）を持ち、背景画像１１０に描画された水平線１１４の間隔ｄ１（１１１）に、所定の補正係数（図２の場合1／１２０×ＣＯＳ（３０°））を掛けた間隔ｄ２（図２の１２１）にて描画される１ドット幅の黒細線（図２の１２４）による平行線の集合にて構成される。
【００２７】
コピー防止パターン１００が複写される際の画像読み取り処理における主走査方向、副走査方向における画像再生特性により、前景画像１２０、背景画像１１０それぞれの領域における黒細線（図２の１１４、１２４）は、走査方向に一致する場合は黒として判別され、黒細線の方向が走査方向に対して一定以上の角度を有する場合は、黒細線を構成する各画素は、サンプリング時にグレーとして判別され、スクリーン処理が施され、コピー防止パターン１００の前景画像１２０においては、背景画像１１０の水平細線に対して所定の傾斜角度１３０で描画された黒細線１２４の画像は、忠実に再生されない部分が生じる。
【００２８】
印刷文書４０にて、前景画像１２０と背景画像１１０の画像濃度が略等しく一定であったものが、複写文書５０においては、前景画像１２０と背景画像１１０との間において画像の濃度差が生じ、前景画像１２０の認識が容易になる。
【００２９】
図１、図２に示したコピー防止パターン１００を複写すると、例えば図３に示すように、複写処理における画像読み取り処理における走査方向に略一致する黒細線１１４を有した背景画像１１０の領域は画像濃度が濃く再生され、走査方向とは一定の角度を有する黒細線１２４を有した前景画像１２０の領域は画像濃度が薄く再生される。
【００３０】
また、コピーされたコピー防止パターン１００における前景画像１２０と背景画像１１０の画像の濃度差と、前景画像１２０にて描画された黒細線１２４の傾斜角度１３０の関係は、コピー防止パターン１００をコピーする装置の画像再生特性の違いにより異なる結果となる。
【００３１】
そのため、コピー処理による画像再生特性の違いに影響されないコピー防止パターン１００にするためには、前景画像１２０における黒細線１２４の傾斜角度１３０を、所定の範囲内で、所定間隔の角度で段階的に変化させた前景画像１２０を複数種類設けて配置し、印刷することにより、装置の画像再生特性の違いを所定の範囲にて吸収し、コピー防止パターン１００のコピー防止機能を強化することができる。
【００３２】
次に、コピー防止パターン１００を含む画像を印刷するための機能構成の一例を図４に示し、さらに、コピー防止パターン１００を含む文書を印刷する際の動作を図５のフローチャートに示して説明する。
【００３３】
図４のＰＣ２００において、アプリケーション部２０１は、作成した文書ファイル２０４をプリンタドライバ２０２に出力し、プリンタドライバ２０２は、プリンタ３００のプリンタコントローラ部３０２にて解釈可能なプリンタ言語にて記述した印刷データ２０６を作成し（Ｓ１０１）、プリンタ接続部２０３を介してプリンタ３００に印刷データ２０６を出力する（Ｓ１０２）。
【００３４】
プリンタ３００は、ネットワーク接続あるいはＵＳＢ接続等にて接続されたＰＣ２００のプリンタドライバ２０２から出力された印刷データ２０６を、外部接続部３０１を介して受信し（Ｓ１０３）、プリンタコントローラ部３０２にて受信した印刷データ２０６をプリンタ言語にて解析して印刷文書４０のページイメージを生成し、プリンタ記憶部３０４からコピー防止パターン画像データ３０５を読み取って、ページ画像の所定の位置に読み取ったパターン防止パターンの画像を合成する画像処理を行い（Ｓ１０４）、パターン防止パターンの画像が合成されたページイメージを用紙に印刷するためのデータを画像形成部３０３に出力し（Ｓ１０５）、画像形成部３０３は、コピー防止パターン１００の画像を含む印刷文書４０の画像を用紙に印刷する（Ｓ１０６）。
【００３５】
なお、コピー防止パターン１００の画像は、例えば、描画用の制御パラメータとして、前景画像１２０に描画する文字、文字のサイズ、背景画像１１０に描画される黒細線１１４の線幅および描画間隔、各前景画像１２０に描画される細線１２４の背景画像１１０に描画される黒細線１１４に対する傾斜角度、傾斜角度を段階的に変化させる開始角および終了角、および差分の角度等をプリンタ記憶部３０４に記憶し、プリンタコントローラ部３０２が描画用の制御パラメータをページイメージの画像を作成する際、プリンタ記憶部３０４から読み取り、複数種類の傾斜角度で平行細線が描画された前景画像１２０の画像を含むコピー防止パターン１００のビットマップ画像を作成して、ページイメージに合成するようにしてもよい。
【００３６】
また、コピー防止パターン１００の画像は、ＰＣ２００のアプリケーション部２０１あるいは、すプリンタドライバ２０２にて作成し、ページ画像にコピー防止パターン１００が合成されたページ画像の印刷データをプリンタドライバ２０２が作成してプリンタ２００に出力するようにしてもよい。
【００３７】
また、コピー防止パターン１００が有する前景画像１１０の文字に関する情報を含む、コピー防止パターン１００の画像を描画するための各種情報を、プリンタドライバ２０２が出力する操作画面にてユーザが指定できるようにしてもよい。
【産業上の利用可能性】
【００３８】
本発明の画像形成装置および印刷物は、有価価値を有した印刷物および当該印刷物を印刷する印刷装置および印刷物に利用可能であり、特に、印刷物の複写操作を牽制し、複写された場合は、その印刷物の検出に有効である。
【図面の簡単な説明】
【００３９】
【図１】本発明の画像形成装置によって印刷されるコピー防止パターンの一例を示す図。
【図２】図１に示したコピー防止パターンの一部を模式的に示した拡大図。
【図３】図１に示したコピー防止パターンの画像が複写出力された時の一例を示すイメージ図。
【図４】コピー防止パターンを含む印刷物を印刷するための機能ブロックの一例を示す図。
【図５】コピー防止パターンを含む印刷物の印刷処理の一例を示すフローチャート。
【符号の説明】
【００４０】
１００  コピー防止パターン
１１０  背景画像
１１１  細線間隔ｄ１
１１４  黒細線（背景画像部）
１２０  前景画像
１２１  細線間隔ｄ２
１２４  黒細線（前景画像部）
１３０  傾斜角度
１５０  前景背景隣接領域
２００  ＰＣ
２０１  アプリケーション部
２０２  プリンタドライバ
２０３  プリンタ接続部
２０４  文書ファイル
２０５  ＰＣ記憶部
２０６  印刷データ
３００  プリンタ
３０１  外部接続部
３０２  プリンタコントローラ部
３０３  画像形成部
３０４  プリンタ記憶部
３０５  コピー防止パターン画像データ
４０    印刷文書
５０    コピー防止パターン複写画像
【図１】
2008109586.tif 000003
【図２】
2008109586.tif 000004
【図３】
2008109586.tif 000005
【図４】
2008109586.tif 000006
【図５】
2008109586.tif 000007